(57)【要約】【課題】従来の配線棚を使用することが可能であり、ケーブルピット内に安全かつ容易に配線棚を設置可能な配線棚設置構造を提供する。【解決手段】上部開口端部１０８に縁金物１１０を有するケーブルピット１００に配線棚１０を設置するための配線棚設置構造１であって、前記配線棚１０は、配線が載置される棚１１と、前記棚１１を支持する支柱２１と、前記支柱２１の上端に取付けられた取付板３１とを有し、前記縁金物１１０の裏面に取付ボルト５１を連結可能な袋ナットが取付けられ、前記縁金物１１０の表面に前記取付板３１を重ね合せ、前記取付板３１の表面側から袋ナットに取付ボルト５１を螺合し、前記配線棚１０を前記ケーブルピット１００に固定可能である。【選択図】図１
2020054158.tif 000002
【特許請求の範囲】
【請求項１】
開口端部に縁金物を有するケーブルピットに配線棚を設置するための配線棚設置構造であって、
前記配線棚は、配線が載置される棚と、前記棚を支持する支柱と、前記支柱の上端に取付けられた取付板とを有し、
前記縁金物の裏面に第２連結具と連結可能な第１連結具が取付けられ、
前記縁金物の表面に前記取付板を重ね合せ、前記取付板の表面側から前記第１連結具に第２連結具を連結させ、前記配線棚を前記ケーブルピットに固定可能なことを特徴とする配線棚設置構造。
【請求項２】
前記支柱及び棚は、ともに山形鋼であり、
前記取付板は、前記支柱の長手方向と直交する方向に２つ並んで設けられた縦方向に長い長穴を有し、
前記配線棚は、前記支柱の下端が前記ケーブルピットの底面に接した状態で前記ケーブルピットに固定されることを特徴とする請求項１に記載の配線棚設置構造。
【請求項３】
前記第１連結具が、袋ナットであり、
前記第２連結具が、前記袋ナットに螺合するボルトであることを特徴とする請求項１又は請求項２に記載の配線棚設置構造。
【発明の詳細な説明】
【技術分野】
【０００１】
本発明は、ケーブルピット内に配線棚を設置するための配線棚設置構造に関する。
【背景技術】
【０００２】
図５及び図６は、従来のケーブルピット１００に取付けられた配線棚２００の側面図及び斜視図である。電気所内には設備を監視制御するための制御ケーブル等を収容する専用のケーブルピット１００が設けられている。ケーブルピット１００は、通常、地面を掘削し、そこに横断面がコ字状の鉄筋コンクリート製のピット１０２が敷設され、開口した上面は、複数の蓋１２１で覆われる。ピット１０２の上部開口端部１０８には、鉄筋１０９に溶接付けされた横断面がクランク形状の縁金物１１０が取付けられ、側壁１０４に所定の間隔でケーブル棚（配線棚）２００が取付けられている。
【０００３】
配線棚２００は、配線３００が載置される複数の棚２０１と、棚２０１を支持する支柱２０５とで構成される。棚２０１及び支柱２０５は、等辺山形鋼からなり、棚２０１は上面が平となるように、また支柱２０５に直交するように配置され、支柱２０５に溶接付けされている。支柱２０５には上部下部にそれぞれ１個、アンカーボルト取付孔（図示省略）が設けられている。
【０００４】
配線棚２００は、ケーブルピット１００の側壁１０４に、配線棚２００の支柱２０５に設けられたアンカーボルト取付孔（図示省略）の位置に合せてドリルで下穴をあけ、アンカーボルト２１０を用いて固定される。この方法は、ケーブルピット１００内において、アンカーボルト２１０の下穴の加工等を行う必要があるため作業者に大きな負担が掛かる。
【０００５】
一方、ケーブルピット内において下穴の加工等を行う必要がない配線棚の固定方法が開発されている（例えば特許文献１参照）。この方法は、ケーブルピットの所定の位置に予めボルトを埋め込み、これを利用して配線ラック（配線棚）を固定するものであり、さらに配線ラックの安定を図るため種々の工夫がなされている。
【先行技術文献】
【特許文献】
【０００６】
【特許文献１】特開２０１８−８８７８５号公報
【発明の概要】
【発明が解決しようとする課題】
【０００７】
特許文献１に記載のケーブルピット用配線ラック構造は、ケーブルピットに予め固定されたボルトに配線ラックを固定する方法ゆえ、ケーブルピットへの下穴加工等が不要であり、簡単にまた安全に配線ラックを固定することができる。さらに配線ラックに補強部材、固定部材を設けることで配線ラックを安定化させている。
【０００８】
特許文献１に記載のケーブルピット用配線ラック構造は、好適な配線ラック構造といえるが、このような構造の配線ラックは、従来の配線棚には使用されていない補強部材、固定部材等を準備する必要がある。従来と同じ配線棚、あるいは略同一の構造の配線棚を使用することができれば部材の調達、準備も容易であり、また既設の配線棚を有効利用することもできる。
【０００９】
本発明の目的は、従来の配線棚を使用することが可能であり、ケーブルピット内に安全かつ容易に配線棚を設置可能な配線棚設置構造を提供することである。
【課題を解決するための手段】
【００１０】
本発明は、開口端部に縁金物を有するケーブルピットに配線棚を設置するための配線棚設置構造であって、前記配線棚は、配線が載置される棚と、前記棚を支持する支柱と、前記支柱の上端に取付けられた取付板とを有し、前記縁金物の裏面に第２連結具と連結可能な第１連結具が取付けられ、前記縁金物の表面に前記取付板を重ね合せ、前記取付板の表面側から前記第１連結具に第２連結具を連結させ、前記配線棚を前記ケーブルピットに固定可能なことを特徴とする配線棚設置構造である。
【００１１】
本発明の配線棚設置構造において、前記支柱及び棚は、ともに山形鋼であり、前記取付板は、前記支柱の長手方向と直交する方向に２つ並んで設けられた縦方向に長い長穴を有し、前記配線棚は、前記支柱の下端が前記ケーブルピットの底面に接した状態で前記ケーブルピットに固定されることを特徴とする。
【００１２】
本発明の配線棚設置構造において、前記第１連結具が、袋ナットであり、前記第２連結具が、前記袋ナットに螺合するボルトであることを特徴とする。
【発明の効果】
【００１３】
本発明によれば、従来の配線棚を使用することが可能であり、ケーブルピット内に安全かつ容易に配線棚を設置可能な配線棚設置構造を提供することができる。
【図面の簡単な説明】
【００１４】
【図１】本発明の第１実施形態の配線棚設置構造１の斜視図である。
【図２】図１の配線棚設置構造１の取付板３１周りの正面図である。
【図３】図１の配線棚設置構造１の配線棚１０の固定要領を示す図である。
【図４】図１の配線棚設置構造１により取付けられた配線棚１０の平面図である。
【図５】従来のケーブルピット１００に取付けられた配線棚２００の側面図である。
【図６】従来のケーブルピット１００に取付けられた配線棚２００の斜視図である。
【発明を実施するための形態】
【００１５】
図１は、本発明の第１実施形態の配線棚設置構造１の斜視図、図２は、配線棚設置構造１の取付板３１周りの正面図、図３は、配線棚設置構造１の配線棚１０の固定要領を示す図である。図４は、配線棚設置構造１により取付けられた配線棚１０の平面図である。図５及び図６に示す従来のケーブルピット１００と同一の構造には同一の符号を付して説明を省略する。
【００１６】
本発明の第１実施形態の配線棚設置構造１は、上部開口端部１０８に縁金物１１０を有するケーブルピット１００に配線棚１０を設置するための配線棚設置構造であり、配線棚１０と、配線棚１０をケーブルピット１００に固定する手段とを含む。
【００１７】
本実施形態に示すケーブルピット１００は、図５及び図６に示す従来のケーブルピット１００と同じ構造からなる。代表的なケーブルピット１００の大きさを示せば、幅（Ｙ軸方向）が０．５〜１．５ｍ、高さ（Ｚ軸方向）が０．５〜１．５ｍであり、長さ（Ｘ軸方向）は数ｍ〜数十ｍである。
【００１８】
配線棚１０は、配線３００が載置される棚１１と、棚１１を支持する支柱２１と、支柱２１の上端に取付けられた取付板３１とを備える。
【００１９】
棚１１は、支柱２１に対して上下方向（Ｚ軸方向）に所定の間隔で３段取付けられている。棚１１には等辺山形鋼が用いられる。棚１１は、正面視において一方の面１５が水平（Ｘ軸，Ｙ軸方向）に、これに直交する他方の面１６が下向き鉛直方向（Ｚ軸方向）となるように、また他方の面１６が支柱２１の山形鋼の他方の面２６に接するように支柱２１に溶接付けされている（図２参照）。棚１１に使用する山形鋼は、平鋼に比較して曲げ強度が強く、棚１１を支柱２１に対して本実施形態のように配置することでより変形し難くなる。
【００２０】
支柱２１は、棚１１と同様の山形鋼が使用され、ケーブルピット１００に取付けられたとき下端２２がピット１０２の床面１０６に当接するように長さが決められている。支柱２１は、一方の面２５がピット１０２の側壁１０４に接するように、他方の面２６が棚１１と平行になるように配され、上端２３に取付けられた取付板３１を介してピット１０２に固定される（図３参照）。
【００２１】
取付板３１は、配線棚１０をピット１０２に固定するための部材であり、支柱２１の上端２３に取付けられている。支柱取付板３１は、平鋼であり、高さが縁金物１１０の下側垂直片１１１の高さと略同一であり、長さは、支柱２１の一辺の長さの約２倍である。ただし取付板３１の大きさは、これに限定されるものではない。
【００２２】
取付板３１には、取付ボルト５１が挿通するボルト穴３３が穿設されている。ボルト穴３３は、縦方向（Ｚ軸方向）に長い長穴であり、所定の間隔を有し左右方向（Ｘ軸方向）に２つ設けられている。１本の取付ボルトで配線棚１０を固定した場合、取付ボルトを起点に配線棚１０が回転する恐れがあるが、ここではボルト穴３３を支柱２１の長手方向（Ｚ軸方向）と直交する方向（Ｘ軸方向）に２つ並んで設けることで、取付ボルト５１を起点に配線棚１０が回転することを防止する。
【００２３】
本実施形態において配線棚１０をケーブルピット１００に固定する手段は、第１連結具及び第２連結具で構成され、第１連結具が袋ナット５５、第２連結具が取付ボルト５１である。
【００２４】
ケーブルピット１００の上部開口端部１０８に設置される縁金物１１０には、配線棚１０を固定するための袋ナット５５が取付けられている。袋ナット５５は、縁金物１１０の下部垂直片１１１に設けられた貫通孔１１５を塞ぐように、下部垂直片１１１の裏面１１４に溶接付けされている。
【００２５】
袋ナット５５は、左右（Ｘ軸方向）に並ぶ２個の袋ナット５５が一組となり（図２参照）、下部垂直片１１１の長手方向（Ｘ軸方向）に、所定の間隔、例えば１ｍ間隔で複数組み取付けられている。左右に並ぶ２個一組の袋ナット５５は、取付板３１に設けられたボルト穴３３に対応するものであり、左右の袋ナット５５の間隔は、左右のボルト穴３３の間隔と同一である。
【００２６】
袋ナット５５の設置は、ケーブルピット１００の製作過程で行われる。袋ナット５５の設置要領の一例を示す。ケーブルピット１００は、（１）掘削、（２）ピット１０２底への配筋、（３）ピット１０２底ヘの型枠、（４）コンクリート打設、（５）ピット１０２の側面への配筋、（６）ピット１０２の側面への型枠設置、（７）鉄筋１０９への縁金物１１０の溶接、（８）コンクリート打設、（９）型枠撤去、（１０）埋戻しの各工程を経て完成する。
【００２７】
上記（７）工程において、縁金物１１０には、予め貫通孔１１５が穿設され、袋ナット５５が溶接されたものが使用される。ここで六角ナットではなく袋ナット５５を使用するのは、鉄筋１０９へ縁金物１１０を溶接した後にコンクリートが打設されるため、ナットの内側にコンクリートが入り込まないようにするためである。
【００２８】
以上からなる配線棚設置構造１においては、縁金物１１０に設けられた袋ナット５５と配線棚１０の取付板３１のボルト穴３３との位置を合せ、ワッシャ５３を介在させ取付ボルト５１を袋ナット５５に螺合させることでケーブルピット１００に配線棚１０を固定することができる。
【００２９】
第１実施形態の配線棚設置構造１において、袋ナット５５に代えて縁金物１１０にボルトを溶接し、取付板３１のボルト穴３３にこのボルトを挿通させ、ナットを螺合し、ケーブルピット１００に配線棚１０を取付けてもよい。この場合にはボルトが第１連結具、ナットが第２連結具となる。
【００３０】
第１実施形態の配線棚設置構造１のように、縁金物１１０の下部垂直片１１１の裏面１１４に袋ナット５５を設ける方法は、縁金物１１０にボルトを取付ける方法と比較して、縁金物１１０の表面（おもての面）１１３に出っ張りがないので、配線棚１０の位置合わせ、固定が容易である。
【００３１】
本発明に係る配線棚設置構造を使用すれば、配線棚１０は、支柱２１の下端２２がピット１０２の床面１０６に当接した状態で取付けられるので、配線棚１０を取付ける際に配線棚１０を持ち上げる必要がなく簡単に取付けることができる。また本発明に係る配線棚設置構造では、ピット１０２の側壁１０４への下穴加工が不要であり、さらに配線棚１０のピット１０２への固定が上部開口端部１０８近傍で行われるので、取付けが簡単である。
【００３２】
また配線棚１０は、ピット１０２に取付けられた後も支柱２１の下端２２がピット１０２の床面１０６に当接しているので、配線３００が載置された配線棚１０に加わる荷重をピット１０２の床面１０６で受けることができる。これにより取付板３１及び取付ボルト５１に加わる荷重を軽減することができる。
【００３３】
また配線棚１０は、山形鋼の直交する２辺がピット１０２の床面１０６に当接するので、支柱２１に捻じれ、変形が生じ難くあるいは支柱２１が倒れまたは回転し難く、配線棚１０をピット１０２に安定的に設置することができる。
【００３４】
また本発明に係る配線棚設置構造は、従来の配線棚をそのまま使用しこれに取付板３１を取付けるだけで本発明で使用する配線棚１０とすることができ、さらにケーブルピット１００についても基本構造は従来のものと略同一であるので容易に実現することができる。
【００３５】
本発明に係る配線棚設置構造は、上記実施形態に限定されるものではなく、要旨を変更しない範囲で変更して使用することができる。上記実施形態では、棚及び支柱に等辺山形鋼を使用するが、不等辺山形鋼、不等辺不等厚山形鋼を使用してもよい。また上記実施形態では、棚の段数が３段であるが、棚の段数は２段、４段以上であってもよい。また棚の長さも特に限定されるものではない。
【００３６】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００３７】
１  配線棚設置構造
１０  配線棚
１１  棚
１５  一面
１６  他面
２１  支柱
２２  下端
２５  一面
２６  他面
３１  取付板
３３  ボルト穴
５１  取付ボルト
５５  袋ナット
１００  ケーブルピット
１０２  ピット
１０４  側壁
１０６  底面
１０８  上部開口端部
１１０  縁金物
１１１  下側垂直片
１１３  下側垂直片の表面
１１４  下側垂直片の裏面
１１５  貫通孔
３００  配線
【図１】
2020054158.tif 000003
【図２】
2020054158.tif 000004
【図３】
2020054158.tif 000005
【図４】
2020054158.tif 000006
【図５】
2020054158.tif 000007
【図６】
2020054158.tif 000008